(57)【特許請求の範囲】
【請求項１】
内部に充填された薬液に浸漬され上方に突出する吸液芯を備えた液体容器を収容する器体と、
該器体に設けられコンセントに着脱可能なプラグと、
前記器体に設けられ該プラグを介してコンセントから通電されて発熱する発熱体とを備え、前記発熱体を発熱させて前記吸液芯を加熱し前記薬液を前記吸液芯を介して気化及び／又は蒸散させる加熱蒸散装置であって、
コンセントと対向する前記器体の背面に前記薬液が蒸散する蒸散口と非整列かつ前記器体の背面の中心線から偏心して上下方向に延びるプラグ可動溝が形成され、該プラグ可動溝に沿って前記プラグが上下方向にスライド自在に取付けられ、プラグがプラグ可動溝の下端にスライドされた際、前記液体容器の下面が下段のコンセントに干渉しない距離でプラグと前記液体容器の下面との間隔が形成されるとともにプラグがプラグ可動溝の上端にスライドされた際、前記器体の上面が上段のコンセントに干渉しない距離でプラグと前記器体の上面との間隔が形成されたことを特徴とする加熱蒸散装置。
【請求項２】
内部に充填された薬液に浸漬され上方に突出する吸液芯を備えた液体容器を収容する器体と、
該器体に設けられコンセントに着脱可能なプラグと、
前記器体に設けられ該プラグを介してコンセントから通電されて発熱する発熱体とを備え、前記発熱体を発熱させて前記吸液芯を加熱し前記薬液を前記吸液芯を介して気化及び／又は蒸散させる加熱蒸散装置であって、
コンセントと対向する前記器体の背面に上下方向に延びるプラグ可動溝が形成され、プラグ可動溝の対向する内壁に軸受穴がそれぞれ形成され、この軸受穴に支持板の基端に形成された軸部が回動自在に嵌合され、支持板の先端に前記プラグが回動自在に挟持されることで該プラグがプラグ可動溝の下端又は上端に回動可能となり、プラグがプラグ可動溝の下端に回動された際、前記液体容器の下面が下段のコンセントに干渉しない距離でプラグと前記液体容器の下面との間隔が形成されるとともにプラグがプラグ可動溝の上端に回動された際、前記器体の上面が上段のコンセントに干渉しない距離でプラグと器体の上面との間隔が形成されたことを特徴とする加熱蒸散装置。
【発明の詳細な説明】
【０００１】
【発明の属する技術分野】
本発明は、薬剤等の薬液を気化及び／又は蒸散させる加熱蒸散装置に関し、詳しくは、吸液芯を発熱体によって加熱することにより、液体容器に収容された薬剤等の薬液を気化及び／又は蒸散させるものである。
【０００２】
【従来の技術】
従来、加熱蒸散装置１としては、図９に示すように、発熱体３を発熱させることによって、吸液芯５を液体容器７の外部で加熱させ、液体容器７内の薬液の薬剤等９を液体容器７外における吸液芯５付近で気化及び／又は蒸散させるものがある。発熱体３は、器体１１の内部に設けられ、コンセント１３に差し込まれたプラグ１５を介して通電されて発熱する。プラグ１５は、コード等を介在させることなく、器体１１に直接設けられる。吸液芯５は、液体容器７内から液体容器７外、該芯５の上部を突出して設けられている。
【０００３】
この加熱蒸散装置１では、コンセントにプラグ１５が差し込まれると、発熱体３がプラグ１５を介してコンセント１３に通電されて発熱し、液体容器７外に突出された吸液芯５の上部が加熱される。吸液芯５が加熱されることにより、液体容器７内の薬剤等９が液体容器７外における吸液芯５付近で気化し、器体１１上面に設けられた蒸散口１７から器体１１上方に蒸散されることとなる。
【０００４】
この加熱蒸散装置１によれば、多量の薬剤等９を薬液のまま液体容器７に収容することが可能となるため、薬剤等９を平板状の固形マットに含浸させて加熱するマット式の加熱蒸散装置に比較して、蒸散効果を長期間に渡って持続させることができる。
【０００５】
【発明が解決しようとする課題】
しかしながら、マット式加熱蒸散装置では、固形マットを加熱板上にほぼ水平な状態で載置して加熱させる構造で、器体の垂直方向の寸法を比較的小さく抑えることができるのに対し、上述した液体式の加熱蒸散装置１では、薬剤等を液体のまま液体容器に収容するため、薬剤等に浸漬させる吸液芯をほぼ垂直な状態で配置しなければならず、垂直方向の寸法を小さく抑えることが極めて困難なものとなった。
【０００６】
これに加え、従来の加熱蒸散装置１では、図９、図１０に示すように、発熱体３、吸液芯５、液体容器７が同一垂直軸ｙ方向に配置されるとともに、プラグ１５がこの垂直軸ｙに直交する水平軸ｘ方向で突出されているため、複数段式の最上段のコンセント１３で加熱蒸散装置１を使用した場合には、液体容器７が下段のコンセント１３ｂを塞ぎ、下段のコンセント１３ｂを使用不能としてしまう問題があった。また、これと逆に最下段のコンセント１３ｂで加熱蒸散装置１を使用した場合には、器体１１が上段のコンセント１３を塞ぎ、上段のコンセント１３を使用不能としてしまう問題もあった。
【０００７】
本発明は上記状況に鑑みてなされたもので、例えば加熱蒸散装置を複数段式のコンセントで使用した場合であっても、上段又は下段のコンセントが使用可能となる加熱蒸散装置を提供することを目的とする。
【０００８】
【課題を解決するための手段】
上記目的を達成するための本発明に係る加熱蒸散装置の構成は、内部に充填された薬液に浸漬され上方に突出する吸液芯を備えた液体容器を収容する器体と、該器体に設けられコンセントに着脱可能なプラグと、前記器体に設けられ該プラグを介してコンセントから通電されて発熱する発熱体とを備え、前記発熱体を発熱させて前記吸液芯を加熱し前記薬液を前記吸液芯を介して気化及び／又は蒸散させる加熱蒸散装置であって、コンセントと対向する前記器体の背面に前記薬液が蒸散する蒸散口と非整列かつ前記器体の背面の中心線から偏心して上下方向に延びるプラグ可動溝が形成され、該プラグ可動溝に沿って前記プラグが上下方向にスライド自在に取付けられ、プラグがプラグ可動溝の下端にスライドされた際、前記液体容器の下面が下段のコンセントに干渉しない距離でプラグと前記液体容器の下面との間隔が形成されるとともにプラグがプラグ可動溝の上端にスライドされた際、前記器体の上面が上段のコンセントに干渉しない距離でプラグと前記器体の上面との間隔が形成されたことを特徴とするものである（請求項１）。
また、上記目的を達成するための本発明に係る加熱蒸散装置の構成は、内部に充填された薬液に浸漬され上方に突出する吸液芯を備えた液体容器を収容する器体と、該器体に設けられコンセントに着脱可能なプラグと、前記器体に設けられ該プラグを介してコンセントから通電されて発熱する発熱体とを備え、前記発熱体を発熱させて前記吸液芯を加熱し前記薬液を前記吸液芯を介して気化及び／又は蒸散させる加熱蒸散装置であって、コンセントと対向する前記器体の背面に上下方向に延びるプラグ可動溝が形成され、プラグ可動溝の対向する内壁に軸受穴がそれぞれ形成され、この軸受穴に支持板の基端に形成された軸部が回動自在に嵌合され、支持板の先端に前記プラグが回動自在に挟持されることで該プラグがプラグ可動溝の下端又は上端に回動可能となり、プラグがプラグ可動溝の下端に回動された際、前記液体容器の下面が下段のコンセントに干渉しない距離でプラグと前記液体容器の下面との間隔が形成されるとともにプラグがプラグ可動溝の上端に回動された際、前記器体の上面が上段のコンセントに干渉しない距離でプラグと器体の上面との間隔が形成されたことを特徴とするものである（請求項２）。
【０００９】
そして、このように構成された加熱蒸散装置では、プラグ可動溝の下端にプラグがスライドされ、このプラグを介して加熱蒸散装置がコンセントに取り付けられると、液体容器が下段のコンセントのプラグ挿入空間から退避した位置に配置され、下段のコンセントにプラグが挿入可能となる。一方、プラグ可動溝の上端にプラグがスライドされ、このプラグを介して加熱蒸散装置がコンセントに取り付けられると、器体が上段のコンセントのプラグ挿入空間から退避した位置に配置され、上段のコンセントにプラグが挿入可能となる。
【００１０】
【発明の実施の形態】
以下、本発明に係る加熱蒸散装置の好適な実施の形態を図面を参照して詳細に説明する。
図１は本発明の第一の実施の形態による加熱蒸散装置のコンセントに取り付けられた状態を示す側面図、図２は図１のＡ−Ａ矢視図、図３は図１の背面図、図４は図１の加熱蒸散装置の器体を上方に移動させた状態を示す側面図、図５は図１の加熱蒸散装置の器体を下方に移動させた状態を示す側面図である。
【００１１】
液体容器２１内において薬液の薬剤等２３に浸漬された吸液芯２５は、液体容器２１外に突出された上部が、プラグ２７を介してコンセント２９から通電される発熱体３１によって加熱され、液体容器２１内に収容された薬剤等２３を液体容器２１外の上方へ蒸散させる。吸液芯２５の上方に蒸散された薬剤等２３は、器体３３上面に設けられた蒸散口３５から器体３３上方に蒸散される。
【００１２】
吸液芯２５は、液体容器２１中央にほぼ垂直な状態で設けられており、下側ほぼ半分が液体容器２１内において薬剤等２３に浸漬されるとともに、上部が液体容器２１から上方に突出され、平面視にて環状に形成された発熱体３１中心部に挿入される。吸液芯２５の素材としては、フェルト、木綿、パルプ、不織布、石綿、無機質成形物等が挙げられるが、フェルト芯（ポリアクリルなどの樹脂からなる焼結芯を含む）、素焼芯（セラミック芯）、パルプ芯又は無機質成形芯が好適に用いられる。
【００１３】
液体容器２１は、殺虫剤、殺菌剤、殺ダニ剤、忌避剤、芳香剤、医薬品又は化粧品等の薬液の薬剤等２３を収容可能であり、内部が視認できる透明性を有する。液体容器２１の上部外周面には、雄ネジ部３７が形成され、この雄ネジ部３７が器体３３に形成された雌ネジ部３９に螺合されることにより、液体容器２１は、器体３３に着脱自在に支持される。なお、液体容器２１を器体３３に螺合させる他、器体３３に段部を形成し、この段部と液体容器２１の雄ネジ部３７とを係合させて、液体容器２１を器体３３に嵌合させるようにしても良い。また、充填された薬剤の劣化を防止するために、必要に応じて液体容器２１には、紫外線防止剤が練り込まれる。
【００１４】
発熱体３１は、器体３３内部における上端側中央部に設けられ、プラグ２７を介してコンセント２９から通電されることによって発熱し、中心部に下方から挿入される吸液芯２５の上部を加熱させる。発熱体３１としては、ニクロム線、半導体（正特性サーミスタ）等を利用したものが挙げられる。発熱体３１による吸液芯２５の加熱温度は、蒸散させる薬剤等２３の種類に応じて適宜決定すればよく、特に限定されないが、通常、発熱体３１の表面温度が約４０〜１５０°Ｃで、且つ、吸液芯２５の表面温度が３０〜１３５°Ｃとなるように設定され、好ましくは発熱体３１の表面温度が６０〜１４５°Ｃで、且つ、吸液芯２５の表面温度が４０〜１３０°Ｃとなるように設定される。発熱体の形状は、リング形、馬蹄形若しくはコの字型を用いることができ、更には、長方形の中心に芯挿入口を設けてマット兼用としても良い。
【００１５】
コンセント２９と対向する器体３３の背面には、プラグ可動溝４１が器体３３の上下方向に形成されている。図２に示すように、プラグ可動溝４１の対向する内壁には、器体３３の上下方向に係止溝４３がそれぞれ形成されている。係止溝４３は、溝開口部の幅より溝底部の幅が広く形成されている。この係止溝４３には、プラグ２７の両側面に突設された係止突起４５が係合される。プラグ可動溝４１の溝底部には、器体３３の上下方向に長いスリット４７が形成される。スリット４７には、プラグ２７と発熱体３１とを接続する電線４９が挿通される。電線４９は、プラグ２７のスライドに支障を及ぼさない余長を有している。
【００１６】
プラグ２７は、係止突起４５を係止溝４３に係合させた状態で、プラグ可動溝４１内を上下方向にスライド可能となる。言い換えれば、プラグ２７に対して、器体３３は上下方向に移動可能となっている。器体３３の背面の上下方向に形成される係止溝４３は、蒸散口３５と一軸上に整列せず、かつ器体３３の中心軸から偏心するように形成される。また、図４に示すように、プラグ２７と液体容器２１の下面との間隔は、プラグ２７がプラグ可動溝４１の下端にスライドされた際液体容器２１の下面が下段のコンセント２９Ｌに干渉しない距離ａで形成される。また、図５に示すように、プラグ２７と器体３３の上面との間隔は、プラグ２７がプラグ可動溝４１の上端にスライドされた際器体３３の上面が上段のコンセント２９Ｕに干渉しない距離ｂで形成される。
【００１７】
即ち、プラグ２７がプラグ可動溝４１の下端にスライドされた際、つまり、器体３３がプラグ２７に対して上端に移動された状態では、液体容器２１の下面が下段のコンセント２９Ｌのプラグ挿入空間に干渉しないようになっている。また、プラグ２７がプラグ可動溝４１の上端にスライドされた際、つまり、器体３３がプラグ２７に対して下端に移動された状態では、器体３３の上面が上段のコンセント２９Ｕのプラグ挿入空間に干渉しないようになっている。
【００１８】
このように構成された加熱蒸散装置５１の作用を説明する。
プラグ可動溝４１の下端にプラグ２７がスライドされ、このプラグ２７を介して加熱蒸散装置５１がコンセント２９に取り付けられると、図４に示すように、液体容器２１が下段のコンセント２９Ｌのプラグ挿入空間から退避した位置に配置され、下段のコンセント２９Ｌにプラグ２７Ｌが挿入可能となる。
【００１９】
一方、プラグ可動溝４１の上端にプラグ２７がスライドされ、このプラグ２７を介して加熱蒸散装置５１がコンセント２９に取り付けられると、図５に示すように、器体３３が上段のコンセント２９Ｕのプラグ挿入空間から退避した位置に配置され、上段のコンセント２９Ｕにプラグ２７Ｕが挿入可能となる。
なお、プラグ２７のスライドは、プラグ２７がコンセント２９に差し込まれた状態で、器体３３を上下移動させることにより行うことができる。また、可動溝４１が器体３３の中心軸から偏心しているため、プラグ２７がコンセント２９に差し込まれた状態でコンセント２９に捻じり応力が加わる。
【００２０】
従って、この加熱蒸散装置５１によれば、プラグ２７を器体３３にスライド自在に設け、プラグ２７に対して器体３３を上端に移動させた状態では、液体容器２１を下段コンセント２９Ｌに干渉させないようにし、また、プラグ２７に対して器体３３を下端に移動させた状態では、器体３３を上段コンセント２９Ｕに干渉させないようにしたので、例えば複数段式の最上段のコンセント２９Ｕで加熱蒸散装置５１を使用した場合においても、器体３３を上端に移動させることで、液体容器２１を下段のコンセント２９Ｌのプラグ挿入空間から退避させることができ、加熱蒸散装置５１の垂直方向の寸法を小さくせずとも、下段のコンセント２９Ｌを使用可能にすることができる。また、これとは逆に、最下段のコンセント２９Ｌで加熱蒸散装置５１を使用した場合でも、器体３３を下端に移動させることで、器体３３を上段のコンセント２９Ｕのプラグ挿入空間から退避させることができ、上段のコンセント２９Ｕを使用可能にすることができる。また、プラグ２７がコンセント２９に差し込まれた状態で、コンセント２９に捻り応力が加わるため、プラグ２７がコンセント２９から抜け難くくなる。さらに、可動溝４１の上下方向には蒸散口３５が位置しないため、プラグ２７がコンセント２９に差し込まれた状態で、蒸散口３５から蒸散される薬液が、上段のプラグ２７Ｕに邪魔されることなく、所望の蒸散を得ることができる。
【００２１】
次に、本発明による加熱蒸散装置の第二の実施の形態を図６〜図８に基づき説明する。図６は本発明による加熱蒸散装置の第二の実施の形態による加熱蒸散装置のコンセントに取り付けられた状態を示す側面図、図７は図６のＢ−Ｂ矢視図、図８は図６の加熱蒸散装置の器体を下方に移動させた状態を示す側面図である。
【００２２】
コンセント２９と対向する器体３３の背面には、上述の加熱蒸散装置５１と同様に、プラグ可動溝４１が器体３３の上下方向に形成されている。図７に示すように、プラグ可動溝４１の上下方向中央部の対向する内壁には、軸受穴６１がそれぞれ形成されている。この軸受穴６１には、支持体６３の基端に形成された軸部６５が回動自在に嵌合されている。
【００２３】
支持体６３の先端には支持穴６７が穿設され、支持穴６７にはプラグ２７の両側面から突出した支持軸６９が回動自在に挿入されている。従って、基端が軸受穴６１に回動自在に支持された支持体６３は、先端でプラグ２７を回動自在に挟持した状態で、プラグ可動溝４１内に収納可能となる。支持体６３の先端に挟持されたプラグ２７は、支持体６３の基端が回動されることにより、プラグ可動溝４１の下端又は上端に回動可能となっている。言い換えれば、プラグ２７に対して、器体３３は、上下方向に移動可能となっている。
【００２４】
プラグ２７と液体容器２１の下面との間隔は、図６に示すように、プラグ２７がプラグ可動溝４１の下端に回動された際液体容器２１の下面が下段のコンセント２９Ｌに干渉しない距離ａで形成される。また、プラグ２７と器体３３の上面との間隔は、図８に示すように、プラグ２７がプラグ可動溝４１の上端に回動された際器体３３の上面が上段のコンセント２９Ｕに干渉しない距離ｂで形成される。
【００２５】
即ち、器体３３がプラグ２７に対して上端に回動された状態（図６の状態）では、液体容器２１が下段のコンセント２９Ｌのプラグ挿入空間に干渉しないようになっている。また、器体３３がプラグ２７に対して下端に回動された状態（図８の状態）では、器体３３が上段のコンセント２９Ｕのプラグ挿入空間に干渉しないようになっている。
【００２６】
このように構成された加熱蒸散装置７１では、支持体６３が回動されることにより、プラグ可動溝４１の下端にプラグ２７が回動され、このプラグ２７を介して加熱蒸散装置７１がコンセント２９に取り付けられると、図６に示すように、液体容器２１が下段のコンセント２９Ｌのプラグ挿入空間から退避した位置に配置され、下段のコンセント２９Ｌにプラグ２７Ｌが挿入可能となる。
【００２７】
一方、プラグ可動溝４１の上端にプラグ２７が回動され、このプラグ２７を介して加熱蒸散装置７１がコンセント２９に取り付けられると、図８に示すように、器体３３が上段のコンセント２９Ｕのプラグ挿入空間から退避した位置に配置され、上段のコンセント２９Ｕにプラグ２７Ｕが挿入可能となる。
【００２８】
この加熱蒸散装置７１によれば、プラグ２７を支持体６３を介して回動させることで、プラグ２７をプラグ可動溝４１の上端又は下端に回動可能に設けたので、上述の加熱蒸散装置５１と同様に、複数段式の最上段のコンセント２９Ｕで加熱蒸散装置７１を使用した場合においても、器体３３を上端に移動させることで、液体容器２１を下段のコンセント２９Ｌのプラグ挿入空間から退避させることができ、下段のコンセント２９Ｌを使用可能にすることができる。また、これとは逆に、最下段のコンセント２９Ｌで加熱蒸散装置７１を使用した場合でも、器体３３を下端に移動させることで、器体３３を上段のコンセント２９Ｕのプラグ挿入空間から退避させることができ、上段のコンセント２９Ｕを使用可能にすることができる。
【００２９】
なお、上記第一及び第二の実施の形態において、プラグ２７が可動溝４１の下端にあるときに９０°回動して、プラグ２７が下方に突出する回動式プラグを用い、テーブルタップへの適用を可能としても良い。
【００３０】
【発明の効果】
以上詳細に説明したように、本発明に係る加熱蒸散装置によれば、プラグを器体にスライド自在に設け、器体を上端に移動させた状態では液体容器を下段コンセントに干渉させないようにし、また、器体を下端に移動させた状態では器体を上段コンセントに干渉させないようにしたので、複数段式の最上段のコンセントで加熱蒸散装置を使用した場合においても、液体容器を下段のコンセントのプラグ挿入空間から退避させることができ、下段のコンセントを使用可能にすることができる。また、これとは逆に、最下段のコンセントで加熱蒸散装置を使用した場合でも、器体を上段のコンセントのプラグ挿入空間から退避させることができ、上段のコンセントを使用可能にすることができる。
【図面の簡単な説明】
【図１】本発明の第一の実施の形態による加熱蒸散装置のコンセントに取り付けられた状態を示す側面図である。
【図２】図１のＡ−Ａ矢視図である。
【図３】図１の背面図である。
【図４】図１の加熱蒸散装置の器体を上方に移動させた状態を示す側面図である。
【図５】図１の加熱蒸散装置の器体を下方に移動させた状態を示す側面図である。
【図６】本発明による加熱蒸散装置の第二の実施の形態による加熱蒸散装置のコンセントに取り付けられた状態を示す側面図である。
【図７】図６のＢ−Ｂ矢視図である。
【図８】図６の加熱蒸散装置の器体を下方に移動させた状態を示す側面図である。
【図９】従来の加熱蒸散装置のコンセントに取り付けた状態を示す側面図である。
【図１０】図９に示す加熱蒸散装置の平面図である。
【符号の説明】
２１  液体容器
２５  吸液芯
２７  プラグ
２９  コンセント
２９Ｕ  上段のコンセント
２９Ｌ  下段のコンセント
３１  発熱体
３３  器体
４１  プラグ可動溝
５１、７１  加熱蒸散装置
６１  軸受穴
６３  支持体
６５  軸部
ａ  プラグと液体容器の下面との間隔
ｂ  プラグと器体の上面との間隔
【図１】
0003608675.tif 000002
【図２】
0003608675.tif 000003
【図３】
0003608675.tif 000004
【図４】
0003608675.tif 000005
【図５】
0003608675.tif 000006
【図６】
0003608675.tif 000007
【図７】
0003608675.tif 000008
【図８】
0003608675.tif 000009
【図９】
0003608675.tif 000010
【図１０】
0003608675.tif 000011